(57)【要約】【課題】  携帯電話機の筐体全体の外観を簡単に一新させる。【解決手段】  アルミニウム等の金属部材で形成された上筐体用筐体パネル２の空隙部２０に対して、上筐体１の端部１ｂを挿入したうえで、上筐体１の反ヒンジ部４側の端部１ｂに固定カバー３をネジ止めする。また、下筐体５４に対しては、キー操作面部側に下筐体操作部用筐体パネルを装着すると共に、背面部側に下筐体用背面パネルを装着し、下筐体用背面パネルに設けられたネジ孔、及び下筐体に設けられたネジ孔を介してネジを挿入し、このネジを下筐体操作部用筐体パネルに設けられたネジ孔に螺合させることで、該下筐体に下筐体操作部用筐体パネル及び下筐体用背面パネルを固定する。最後に、下筐体の背面部側に電池蓋を装着する。これにより、携帯電話機の筐体全体の外観を簡単に一新させることができる。【選択図】  図１
2009290806.tif 000002
【特許請求の範囲】
【請求項１】
筒形状部材の周面部の一部を、径方向に対して直交する方向に沿って切り欠いて形成されており、空隙部に第１の筐体の端部を挿入するかたちで該第１の筐体に装着された際に、少なくとも該第１の筐体の装着面部と共に該第１の筐体の両側面部をも被覆するように形成された第１の筐体パネルと、
上記第１の筐体パネルが装着された上記第１の筐体の端部を被覆するように該第１の筐体の端部に装着されることで、該第１の筐体に上記第１の筐体パネルを固定するパネル固定カバーと、
第２の筐体の操作面部に設けられた各キーに対応するキートップが設けられたキーシートと、上記キーシートに設けられた各キートップを露出させるための開口部、及び上記第２の筐体に固定を図るための筐体固定部を備えたフレーム部とを備え、上記第２の筐体の操作面部に装着される第２の筐体パネルと、
上記第２の筐体に固定を図るための筐体固定部を備え、該第２の筐体の背面部に装着される背面パネルと
を有する携帯端末装置。
【請求項２】
上記第１の筐体の両側面部に対して、該両側面部の外観をそれぞれ略半円形状とするＲ加工を施し、
上記第１の筐体パネルの両側面部に対して、上記Ｒ加工が施された上記第１の筐体の両側面部に当接すると共に、該第１の筐体の上記装着面部の反対側の面部における上記両側面部近傍まで被覆するようにラウンド加工を施した
請求項１に記載の携帯端末装置。
【請求項３】
上記第１の筐体の装着面部に設けられ、該第１の筐体に装着された第１の筐体パネルに当接することで、上記第１の筐体の装着面部と、この第１の筐体の装着面部に相対向する面部である上記第１の筐体パネルの裏面部との間に所定の間隙部を形成する間隙形成用凸部を有する
請求項１又は請求項２に記載の携帯端末装置。
【請求項４】
上記第１の筐体に対して上記第１の筐体パネルを装着した際に、該第１の筐体の装着面部に相対向する面部となる該第１の筐体パネルの裏面部に設けられ、上記第１の筐体の装着面部に当接することで、上記第１の筐体の装着面部と上記第１の筐体パネルの裏面部との間に所定の間隙部を形成する間隙形成用凸部を有する
請求項１又は請求項２に記載の携帯端末装置。
【請求項５】
上記間隙形成用凸部は、上記第１の筐体の長手方向、或いは短手方向に沿って設けられたレール形状を有し、或いは上記第１の筐体の上記装着面部に点在するように設けられたドット形状を有する
請求項３又は請求項４に記載の携帯端末装置。
【請求項６】
上記第１の筐体の上記装着面部には、少なくとも外部音声出力用の外部スピーカ部と、補助表示部とが設けられており、
上記第１の筐体パネルには、当該第１の筐体パネルが上記第１の筐体に装着された際に、該第１の筐体に設けられている上記補助表示部を露出させると共に、該補助表示部の外周部との間に所定の間隙部を形成する開口部が設けられており、
上記第１の筐体に設けられた上記間隙形成用凸部により、該第１の筐体の上記装着面部と上記第１の筐体パネルの上記裏面部との間に形成された間隙部を介して伝達する上記外部スピーカ部から出力された音響出力を、上記補助表示部の外周部と上記第１の筐体パネルの開口部との間に形成された上記所定の間隙部を介して上記第１の筐体パネル外に放音する
請求項３から請求項５のうち、いずれか一項に記載の携帯端末装置。
【請求項７】
上記第２の筐体パネルの上記フレーム部に設けられた上記筐体固定部として、上記第２の筐体に設けられた複数の嵌込溝部にそれぞれ嵌込する複数の爪部を有する
請求項１から請求項６のうち、いずれか一項に記載の携帯端末装置。
【請求項８】
上記第２の筐体パネルの上記フレーム部に設けられた上記複数の爪部の強度を、上記第２の筐体に設けられている嵌込溝部の強度よりも低い強度とした
請求項７に記載の携帯端末装置。
【請求項９】
上記第２の筐体パネルの上記フレーム部には、上記筐体固定部としてネジ孔が設けられており、
上記背面パネルには、上記筐体固定部としてネジ孔が設けられており、
上記背面パネルに設けられたネジ孔、及び上記第２の筐体に設けられているネジ孔を順に介して挿入したネジを、上記第２の筐体パネルの上記フレーム部に設けられたネジ孔に螺合させることで、上記第２の筐体パネル及び上記背面パネルを上記第２の筐体に固定する
請求項１から請求項８のうち、いずれか一項に記載の携帯端末装置。
【請求項１０】
上記第２の筐体の操作面部の各キーを防水シートで被覆した
請求項１から請求項９のうち、いずれか一項に記載の携帯端末装置。
【請求項１１】
上記第２の筐体の操作面部の各キーを被覆する防水シートの、上記第２の筐体パネルのキーシートと相対向する表面部に対して、微細な凹凸を形成するシボ加工を施した
請求項１０に記載の携帯端末装置。
【請求項１２】
筒形状部材の周面部の一部を、径方向に対して直交する方向に沿って切り欠いて形成されており、少なくとも第１の筐体の装着面部と共に該第１の筐体の両側面部をも被覆するように形成された第１の筐体パネルの空隙部に上記第１の筐体の端部を挿入することで、該第１の筐体に第１の筐体パネルを装着し、
上記第１の筐体パネルが装着された上記第１の筐体の端部に対して、当該第１の筐体の端部を被覆するパネル固定カバーを装着することで、上記第１の筐体に上記第１の筐体パネルを固定し、
第２の筐体の操作面部に設けられた各キーに対応するキートップが設けられたキーシートと、上記キーシートに設けられた各キートップを露出させるための開口部、及び上記第２の筐体に固定を図るためのネジ孔を備えたフレーム部とを有する第２の筐体パネルを、上記第２の筐体の操作面部に装着し、
上記第２の筐体に固定を図るためのネジ孔を備えた背面パネルを、上記第２の筐体の背面部に装着し、
上記背面パネルのネジ孔、上記第２の筐体に設けられたネジ孔を順に介して挿入したネジを、上記第２の筐体パネルの上記フレーム部に設けられたネジ孔に螺合させることで、上記第２の筐体に対して上記第２の筐体パネル及び上記背面パネルを装着する
筐体パネルの装着方法。
【請求項１３】
筒形状部材の周面部の一部を、径方向に対して直交する方向に沿って切り欠いて形成されており、空隙部に第１の筐体の端部を挿入するかたちで該第１の筐体に装着された際に、少なくとも該第１の筐体の装着面部と共に該第１の筐体の両側面部をも被覆するように形成された第１の筐体パネルと、
第２の筐体の操作面部に設けられた各キーに対応するキートップが設けられたキーシートと、上記キーシートに設けられた各キートップを露出させるための開口部、及び上記第２の筐体に固定を図るための筐体固定部を備えたフレーム部とを備え、上記第２の筐体の操作面部に装着される第２の筐体パネルと、
上記第２の筐体に固定を図るための筐体固定部を備え、該第２の筐体の背面部に装着される背面パネルと
を有する筐体パネル装置。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機、デジタルカメラ装置、ノート型のパーソナルコンピュータ装置等の携帯機器に適用して好適な携帯端末装置、筐体パネルの装着方法、及び筐体パネル装置に関する。
特には、筐体全体の表面部品を簡単に交換可能とすることで、機器全体の外観を一新させることを可能とした携帯端末装置、筐体パネルの装着方法、及び筐体パネル装置に関する。
【背景技術】
【０００２】
特開２００５−０９４５３３号の公開特許公報に、筐体の一部を構成する筐体面を交換することでデザインを簡単に変更することが可能な折り畳み型の携帯電話機が開示されている。
【０００３】
この携帯電話機の場合、交換（＝着せ替え）を行う平板形状の筐体パネルに対して、該筐体パネルから突出すると共に、ネジ孔を備えた取り付け用脚部を設けている。携帯電話機の筐体側には、筐体パネルの取り付け用脚部を挿入するための脚部挿入孔部が設けられている。そして、筐体に対して筐体パネルを装着する際には、この筐体に設けられた脚部挿入孔部に対して筐体パネルの取り付け用脚部を挿入し、筐体の側面部に設けられたネジ孔からネジを挿入し、筐体パネルの脚部挿入孔部に設けられたネジ孔を介して該筐体パネルを筐体にネジ止めするようになっている。
【０００４】
折り畳み型の携帯電話機の場合、折り畳んだ状態で露出する筐体面にはスイッチ類等が少なく、かつ、この筐体の外観の殆どを占めるため、上記筐体パネルを交換することで、当該携帯電話機のデザインを簡単に変更することができる。
【０００５】
【特許文献１】特開２００５−０９４５３３号公報（第４頁〜第５頁、図１）
【発明の開示】
【発明が解決しようとする課題】
【０００６】
しかし、特許文献１に開示されている携帯電話機の場合、平板形状の筐体パネルを交換することでデザインが変更される部分は筐体の平面部のみであり、筐体の側面部や端部の色彩や模様としては、元の色彩や模様が依然として残ることとなるため、筐体の外観を一新するには至らない問題がある。
【０００７】
また、今日における携帯電話機は、筐体の大幅な薄型化がなされている。このような筐体の薄型化を図るには、筐体の強度を確保したうえで、該筐体の薄型化を図る必要があるが、特許文献１に開示されている携帯電話機の場合、筐体に対して平板形状の筐体パネルを宛う（あてがう）だけであるため、薄型化された筐体の強度を担保することは困難となる問題もある。
【０００８】
また、特許文献１に開示されている携帯電話機は、折り畳んだ状態でも露出する筐体面にはスイッチ類等が少なく、また、この筐体面は携帯電話機の外観の殆どを占めることから、この筐体面を変更することで、携帯電話機のデザインを大きく変えることができるものとしている。このため、特許文献１に開示されている携帯電話機の場合、折り畳んだ状態でも露出する筐体の平面部のみ、平板形状の筐体パネルを交換することで、デザインを変更することが可能となっている。換言すれば、特許文献１に開示されている携帯電話機の場合、筐体パネルを交換することで、デザインが変更される部分は筐体の平面部のみとなっている。
【０００９】
例えば、全体が白一色の携帯電話機の場合、上記折り畳んだ状態でも露出する筐体の平面部のみを、黒色の筐体パネルに交換した後に、この携帯電話機を開操作すると、操作部等の色として、元の筐体の色である白色が露出することとなる。すなわち、この場合、外側は黒色で、内側は白色という、変わったデザインの携帯電話機が形成されることとなる。
【００１０】
外側の筐体パネルの色と、内側の元の筐体の色との組み合わせ方によっては、優れたデザインとなる可能性もあるが、殆どの場合、変わったデザインの携帯電話機が形成されることとなり、ユーザにとって好ましいことではない。
【００１１】
なぜ、筐体の交換可能な部分が平面部のみであったかというと、上述のように携帯電話機のデザインを大きく変更可能であることが、その理由の一つであるが、特に下筐体の場合、十字キーやオンフックキー、オフフックキー等の多数のキーが設けられた操作部が存在するため、この内側部分の筐体の交換が、非常に面倒、かつ、困難であったことが、もう一つの理由である。
【００１２】
本発明は、上述の課題に鑑みてなされたものであり、操作部が設けられている部分も含め、筐体全体の外観を一新させることを可能とすると共に、筐体の強度を担保することも可能な携帯端末装置、筐体パネルの装着方法、及び筐体パネル装置の提供を目的とする。
【課題を解決するための手段】
【００１３】
本発明に係る携帯端末装置は、上述の課題を解決するために、
筒形状部材の周面部の一部を、径方向に対して直交する方向に沿って切り欠いて形成されており、空隙部に第１の筐体の端部を挿入するかたちで該第１の筐体に装着された際に、少なくとも該第１の筐体の装着面部と共に該第１の筐体の両側面部をも被覆するように形成された第１の筐体パネルと、
上記第１の筐体パネルが装着された上記第１の筐体の端部を被覆するように該第１の筐体の端部に装着されることで、該第１の筐体に上記第１の筐体パネルを固定するパネル固定カバーと、
第２の筐体の操作面部に設けられた各キーに対応するキートップが設けられたキーシートと、上記キーシートに設けられた各キートップを露出させるための開口部、及び上記第２の筐体に固定を図るための筐体固定部を備えたフレーム部とを備え、上記第２の筐体の操作面部に装着される第２の筐体パネルと、
上記第２の筐体に固定を図るための筐体固定部を備え、該第２の筐体の背面部に装着される背面パネルと
を有する。
【００１４】
このような本発明は、筒形状部材の周面部の一部を、径方向に対して直交する方向に沿って切り欠き加工することで、端面が略Ｕ字状となる第１の筐体パネルを形成している。そして、この第１の筐体パネルの空隙部に対して第１の筐体の端部を挿入するかたちで、該第１の筐体パネルを第１の筐体に装着すると共に、この第１の筐体パネルが装着された第１の筐体の端部を被覆するように、該第１の筐体の端部にパネル固定カバーを装着して、該第１の筐体に第１の筐体パネルを固定する。
【００１５】
これにより、第１の筐体パネルの空隙部に筐体の端部を挿入し、該第１の筐体の端部にパネル固定カバーを装着するだけで、該第１の筐体に筐体パネルを装着することができるため、該第１の筐体に対する第１の筐体パネルの装着や交換を簡単に実行可能とすることができる。
【００１６】
また、第１の筐体に装着された第１の筐体パネルは、第１の筐体の装着面部のみならず該第１の筐体の両側面部までをも被覆し、パネル固定カバーは、第１の筐体の端部を被覆するため、この第１の筐体パネル及びパネル固定カバーにより、第１の筐体の略々全体を被覆することができる。このため、第１の筐体の外観を一新させることができる。
【００１７】
また、第１の筐体パネル及び固定カバーを装着することで、第１の筐体の装着面部のみならず、両側面部及び端部まで被覆することができるため、第１の筐体が薄型化されている場合であっても、上記第１の筐体パネル及び固定カバーを装着することで、この薄型化された第１の筐体の強度を担保可能とすることができる。
【００１８】
また、このような携帯端末装置は、第２の筐体の操作面部に設けられた各キーに対応するキートップが設けられたキーシートと、上記キーシートに設けられた各キートップを露出させるための開口部、及び上記第２の筐体に固定を図るための筐体固定部を備えたフレーム部とを備えた第２の筐体パネルを、上記筐体固定部を介して第２の筐体の操作面部に装着するだけで、簡単に第２の筐体の操作面部の外観を変更することができる。また、筐体固定部を介して、背面パネルを第２の筐体の背面部に装着することで、簡単に第２の筐体の背面部の外観を変更することができる。
【００１９】
従って、本発明に係る携帯端末装置は、上述のように第１の筐体及び第２の筐体の外観を簡単に変更することができるため、当該携帯端末装置が適用された機器全体の外観を一新させることを可能とすることができる。
【発明の効果】
【００２０】
本発明は、操作部が設けられている部分も含め、筐体全体の外観を一新させることを可能とすることができる。また、筐体の強度も担保可能とすることができる。
【発明を実施するための最良の形態】
【００２１】
本発明は、折り畳み型の携帯電話機に適用することができる。
【００２２】
［携帯電話機の上筐体側の構成］
この本発明の実施の形態となる携帯電話機は、略長方形状の上筐体の短手方向の一端部、及び上筐体と略々同じ大きさの略長方形状の下筐体の短手方向の一端部をヒンジ部を介して相互に接続することで、上筐体及び下筐体の折り畳み操作及び開操作が可能となっている。
【００２３】
図１に、本発明を適用した実施の形態となる携帯電話機の上筐体１、この上筐体１に装着する上筐体用筐体パネル２、及び上筐体１の端部１ａ（反ヒンジ部側の端部）に装着して、該上筐体１に上筐体用筐体パネル２を固定する固定カバー３の斜視図を示す。
【００２４】
この図１に示すように、上筐体１には、当該携帯電話機を折り畳んだ際に露出する面部１ａ（以下、筐体パネルを装着する面部の意味で「装着面部１ａ」という。）のヒンジ部４近傍に、外部出力用のスピーカ部である、右出力用及び左出力用の一対の外部スピーカ部５Ｒ，５Ｌが、当該上筐体１の短手方向に沿って並設されている。
【００２５】
また、この上筐体１の装着面部１ａには、各外部スピーカ部５Ｒ，５Ｌと、当該上筐体１の反ヒンジ部４側の端部１ｂとの間に、例えば液晶表示部、ＥＬ表示部（EL：Electro-Luminescence）、有機ＥＬ表示部等の補助表示部６が設けられている。一例ではあるが、この補助表示部６は、当該上筐体１の短手方向に沿った楕円形状を有している。
【００２６】
図２に、上筐体用筐体パネル２及び固定カバー３を装着した状態の上筐体１を、当該携帯電話機を開操作した際に露出する面部１ｃ（以下、メイン表示部が設けられている面部との意味で「表示面部１ｃ」という。）側から見た状態の斜視図を示す。
【００２７】
この図２からわかるように、当該上筐体１の、上記装着面部１ａに対して反対側の面部となる表示面部１ｃには、反ヒンジ部４側の端部１ｂ近傍に、主に受話音声を出力するための受話音声用スピーカ部７が設けられている。また、この上筐体１の表示面部１ｃには、受話音声用スピーカ部７とヒンジ部４との間の領域を略々専有する大きさのメイン表示部８が設けられている。このメイン表示部８は、上記補助表示部６と同様に、液晶表示部、ＥＬ表示部（EL：Electro-Luminescence）、或いは有機ＥＬ表示部等となっている。
【００２８】
図３に、この上筐体１のみを上記装着面部１ａ側から見た斜視図を示す。この図３からわかるように、上筐体１の装着面部１ａには、上筐体１の両側面部近傍に、該上筐体１の長手方向に沿って延設され、該上筐体１の長手方向に対して垂直方向に装着面部１ａから突出した一対の間隙形成用凸部９が設けられている。この間隙形成用凸部９は、上筐体１に上筐体用筐体パネル２が装着された際に、上筐体１の装着面部１ａと上筐体用筐体パネル２の裏面部との間に所定の間隙部（図５の符号２５）を形成するように機能するが、詳しくは後述する。
【００２９】
次に、同じく図３に示すように、上筐体１は、当該上筐体１の上半分を形成する上ハーフ１０、及び当該上筐体１の下半分を形成する下ハーフ１１とを貼り合わせることで形成されている。上ハーフ１０及び下ハーフ１１の長手方向の両側面部には、該上ハーフ１０及び該下ハーフ１１を貼り合わせた際に、該両側面部が丸みを帯びた形状となるように、いわゆるＲ加工が施されている。
【００３０】
すなわち、近年、筐体に対する薄型化の要求が強い。筐体を薄型化するには、該筐体を物理的に薄型化したうえで、両側面部の角を削って丸みを帯びた形状にＲ加工することで、ユーザに対して、見た目上、さらに筐体を薄く見せることができる。ただ、筐体の両側面部に対してＲ加工を施すと、ユーザに対して、見た目上、さらに筐体を薄く見せることができることはよいが、必然的に両側面部の面積が小さくなるため、筐体として必要な強度を得ることができるように、上ハーフ１０及び下ハーフ１１を貼り合わせることが困難となる。
【００３１】
このため、当該実施の形態の携帯電話機の場合、図３に示すように上筐体１の上ハーフ１０及び下ハーフ１１の各側面部を、見た目が台形状の凹凸を繰り返すように切り欠き加工し、上ハーフ１０の台形状の凹部には、下ハーフ１１の台形状の凸部が挿入され、同様に上ハーフ１０の台形状の凸部が、下ハーフ１１の台形状の凹部に挿入されるように、該上ハーフ１０及び下ハーフ１１を貼り合わせている。
【００３２】
これにより、上筐体１を物理的に薄型化し、見た目上、該筐体をさらに薄く見せるように該上筐体１の両側面部に対してＲ加工を施した場合でも、該上筐体１の上ハーフ１０及び下ハーフ１１を強固に貼り合わせる可能として、上筐体１としての必要な強度を保持している。
【００３３】
次に、図４に上筐体用筐体パネル２を裏面部側から見た斜視図を示す。この図４からわかるように、上筐体用筐体パネル２は、例えば楕円の筒形状部材の周面部の一部を、径方向に対して直交する方向に沿って切り欠いて形成することで、当該上筐体用筐体パネル２を端部側から見た際に、略Ｕ字形状を有するように形成されている。この上筐体用筐体パネル２の材質は、例えばアルミニウム等の金属部材となっており（鉄部材等の他の金属部材や、ＡＢＳ樹脂等の強化プラスチックでもよい。）、上筐体１の端部１ｂが挿入される空隙部２０の大きさは、該上筐体１の端部１ｂの大きさよりも若干大きめとなっている。
【００３４】
また、この上筐体用筐体パネル２の両側面部２ａには、当該上筐体用筐体パネル２が上筐体１に装着された際に、上記Ｒ加工が施されている上筐体１の両側面部を被覆すると共に、図２に示すように該上筐体１の表示面部１ｃにおける、該上筐体１の両側面部近傍に相当する部分までをも被覆するように巻き加工（ラウンド加工）が施されている。
【００３５】
また、この上筐体用筐体パネル２には、上筐体１に装着された際に、該上筐体１の装着面部１ａに設けられている補助表示部６を露出させるための開口部１５が設けられている。この開口部１５は、上筐体１の装着面部１ａに設けられている補助表示部６と同じ楕円形状を有しており、該補助表示部６の外周部と当該開口部１５の内周部１５ａとの間に所定の間隙部を形成するように、上記補助表示部６よりも若干大きめとなっている。
【００３６】
次に、固定カバー３は、図１に示すように略楕円形状の有底円筒形状を有している。全体的な大きさは、上筐体１の端部１ｂを被覆可能なように、該端部１ｂと略々同じ大きさとなっている。また、この固定カバー３の両側面部近傍には、一対のネジ孔１７が設けられている。固定カバー３は、ネジ１８により、この各ネジ孔１７を介して下筐体１の端部１ｂにネジ止めされることで、図２に示すように上筐体１に装着された上筐体用筐体パネル２が該上筐体１に固定されるようになっている。
【００３７】
［上筐体に対する上筐体用筐体パネルの装着工程］
次に、上筐体１に対する上筐体用筐体パネル２の装着工程の説明をする。上筐体１に対して上筐体用筐体パネル２を装着する場合、まず、図１に示すように上筐体用筐体パネル２の空隙部２０に対して上筐体１の端部１ｂを挿入し、この状態で、上筐体用筐体パネル２の開口部１５側の端部２ｂが、上筐体１のヒンジ部４側の端部１ｄに当接するまで、上筐体用筐体パネル２に対して図１中矢印に示す上筐体１方向の力を加える。これにより、上筐体用筐体パネル２の空隙部２０に対して、上筐体１全体が挿入されるかたちで、該上筐体１に上筐体用筐体パネル２が装着されることとなる。
【００３８】
次に、このように上筐体１に上筐体用筐体パネル２を装着した状態で、上筐体１の反ヒンジ部４側の端部１ｂに固定カバー３を装着する。そして、固定カバー３の各ネジ孔１７を介してネジ１８により、該固定カバー３を上筐体１の端部１ｂに固定する。これにより、上筐体１に装着された上筐体用筐体パネル２が、この固定カバー３と上筐体１のヒンジ部４側の端部１ｄとの間で挟持されるかたちで該上筐体１に固定され、当該筐体パネルの装着工程が完了する。
【００３９】
すなわち、当該実施の形態の携帯電話機の場合、上筐体用筐体パネル２の空隙部２０に対して、上筐体１の端部１ｂを挿入したうえで、上筐体１の反ヒンジ部４側の端部１ｂに固定カバー３をネジ止めするだけで、上筐体１に対して上筐体用筐体パネル２を簡単に装着することができる。このため、デザインや模様、色彩等の異なる上筐体用筐体パネル２に交換することも簡単に行うことができ、筐体の外観を簡単に一新させることができる。
【００４０】
〔ラウンド構造による筐体補強機能〕
ここで、上述のように上筐体用筐体パネル２の両側面部２ａにはラウンド加工が施されており、上筐体用筐体パネル２を上筐体１に装着した際に、図２に示すようにこの上筐体用筐体パネル２の両側面部２ａにより、上筐体２の表示面部１ｃ側までも被覆するようになっている。図５は、上筐体１に上筐体用筐体パネル２を装着した状態で、該上筐体１及び上筐体用筐体パネル２を、該上筐体１の短手方向に沿って切断した状態の断面図である。この図５からもわかるように、上筐体１に上筐体用筐体パネル２を装着することで、該上筐体用筐体パネル２の両側面部２ａにより、上筐体１の表示面部１ｃ側まで被覆されていることがわかる。
【００４１】
図３を用いて説明したように、上筐体１は、物理的に薄型化されており、見た目上、該筐体をさらに薄く見せるように該上筐体１の両側面部に対してＲ加工が施されている。そして、上筐体１の上ハーフ１０及び下ハーフ１１の各側面部を、見た目が台形状の凹凸を繰り返すように切り欠き加工し、上ハーフ１０の台形状の凹部には、下ハーフ１１の台形状の凸部が挿入され、同様に上ハーフ１０の台形状の凸部が、下ハーフ１１の台形状の凹部に挿入されるように、該上ハーフ１０及び下ハーフ１１を貼り合わせることで、上ハーフ１０及び下ハーフ１１の強固な貼り合わせを可能とし、このように薄型化された上筐体１の必要な強度を保持している。
【００４２】
しかも、アルミニウム等の金属部材で形成された上筐体用筐体パネル２を装着することで、上筐体１の装着面部１ａ、両側面部、及び表示面部１ｃにおける上筐体１の両側面部近傍に相当する部分を被覆し、固定カバー３により、上筐体１の反ヒンジ部４側の端部１ｂを被覆している。換言すれば、上筐体用筐体パネル２及び固定カバー３により、上筐体１のメイン表示部８以外の部分を全て被覆している。これにより、薄型化された上筐体１の強度を十分に担保可能とすることができる。
【００４３】
また、上筐体用筐体パネル２及び固定カバー３により、上筐体１のメイン表示部８以外の部分が全て被覆されるということは、上筐体１全体の面積うち、上筐体用筐体パネル２で占められる面積が大半であることを意味する。このため、上筐体用筐体パネル２を交換することで、上筐体１のデザイン、色彩、模様等を一新させることを可能とすることができる。
【００４４】
〔間隙形成用凸部の貼り付き防止機能〕
次に、上筐体１に装着された上筐体用筐体パネル２は、図５の断面図に示すように上筐体１の装着面部１ａに設けられている一対の間隙形成用凸部９上に乗り上げるかたちとなる。これにより、上筐体１の装着面部１ａと上筐体用筐体パネル２の裏面部２ｃとの間に所定の間隙部２５を形成する。すなわち、上筐体１に装着された上筐体用筐体パネル２は、上筐体１の両側面部の部分と各間隙形成用凸部９との少ない面積で該上筐体１と接触していることとなる（上筐体１の装着面部１ａと上筐体用筐体パネル２の裏面部２ｃとは接触していない。）。
【００４５】
上筐体１と上筐体用筐体パネル２との接触面積が大きい場合、時間の経過と共に上筐体１と上筐体用筐体パネル２とが貼り付いた状態となり、上筐体１から上筐体用筐体パネル２が取り外し難くなるのであるが、当該実施の形態の携帯電話機の場合、各間隙形成用凸部９により、上筐体１の装着面部１ａと上筐体用筐体パネル２の裏面部２ｃとの接触を防止し、上筐体１と上筐体用筐体パネル２との接触面積を極小さなものとしているため、時間の経過と共に上筐体１と上筐体用筐体パネル２とが貼り付いた状態となる不都合を防止することができ、時間が経過した場合でも、上筐体１から上筐体用筐体パネル２を簡単に取り外し可能とすることができる。
【００４６】
〔音声の放音構造〕
次に、この実施の形態の携帯電話機の場合、各間隙形成用凸部９で上筐体１の装着面部１ａと上筐体用筐体パネル２の裏面部２ｃとの間に形成される間隙部２５、及び上筐体用筐体パネル２の開口部１５の内周部と補助表示部６の外周部との間に形成される間隙部を用いて、上筐体１に設けられた各スピーカ部５Ｒ，５Ｌから出力された音声を、上筐体用筐体パネル２外に放音するようになっている。
【００４７】
図６に、上筐体用筐体パネル２を装着した上筐体１を、該上筐体１の長手方向に沿ってスピーカ部５Ｌ及び補助表示部６の部分を切断した状態の断面図を示す。この図６からわかるように、上筐体用筐体パネル２の開口部１５の大きさは、上筐体１の装着面部１ａに設けられた補助表示部６の大きさよりも若干大きめとなっている。このため、上筐体１に上筐体用筐体パネル２を装着した場合、上筐体用筐体パネル２の開口部１５から補助表示部６が露出すると共に、上筐体用筐体パネル２の開口部１５の内周部１５ａと補助表示部６の外周部６ａとの間に所定の間隙部３０が形成される。
【００４８】
さらに具体的には、上筐体用筐体パネル２の開口部１５の内周部１５ａには、該上筐体用筐体パネル２の表面部２ｄ側の開口面積が、裏面部２ｃ側の開口面積よりも若干小さくなるようテーパ加工が施されている。これに対して、補助表示部６の外周部６ａ（及び上筐体１の補助表示部６が設けられる部分）には、当該外周部６ａを、上記テーパ加工が施された開口部１５の内周部１５ａと略々平行とするテーパ加工が施されている。このため、上筐体用筐体パネル２の開口部１５の内周部１５ａと補助表示部６の外周部６ａとの間には、所定の間隙部３０が形成されることとなる。そして、上述のように上筐体１の装着面部１ａと上筐体用筐体パネル２の裏面部２ｃとの間には、各間隙形成用凸部９により、間隙部２５が形成されているため、この間隙部２５と、開口部１５の内周部１５ａと補助表示部６の外周部６ａとの間に形成された間隙部３０とは連通することとなる。
【００４９】
この状態で、スピーカ部５Ｌから音声出力がなされると、該スピーカ部５Ｌから出力された音声は、図６中矢印で示すように、スピーカ部５Ｌの放音用孔部３１を介して上筐体１外に放音されると共に、上筐体１の装着面部１ａと上筐体用筐体パネル２の裏面部２ｃとの間に形成された間隙部２５を介して、該上筐体１の装着面部１ａと上筐体用筐体パネル２の裏面部２ｃとの間を伝達し、開口部１５の内周部１５ａと補助表示部６の外周部６ａとの間に形成された間隙部３０を介して上筐体用筐体パネル２外に放音される。なお、スピーカ部５Ｒから出力された音声も、このスピーカ部５Ｌから出力された音声と同様に、上記間隙部３０を介して上筐体用筐体パネル２外に放音される。
【００５０】
これにより、上筐体１に上筐体用筐体パネル２を装着することで、上筐体１に設けられているスピーカ部５Ｒ，５Ｌ上を上筐体用筐体パネル２で被覆する場合でも、各スピーカ部５Ｒ，５Ｌから出力される音声を該上筐体用筐体パネル２で遮音することなく、上記各間隙部２５，３０を介して上筐体用筐体パネル２外に放音することができ、良好な音響出力を得ることができる。
【００５１】
また、各スピーカ部５Ｒ，５Ｌから出力される音声を上記各間隙部２５，３０を介して上筐体用筐体パネル２外に放音することができるため、上筐体用筐体パネル２に対して放音用の孔部を設ける等の加工処理を不要とすることができ、上筐体用筐体パネル２の製作工程の簡素化を図ることができる。さらに、上筐体用筐体パネル２に対する放音用の孔部を設ける等の加工処理を不要とすることができるため、上筐体用筐体パネル２の表面部２ｄを、上記補助表示部６用の開口部１５が設けられていることを除き、全体的に平面状とすることができる。このため、上筐体用筐体パネル２に対して模様や色彩等のデザインを付す加工を施し易くすることができる。
【００５２】
［上筐体用筐体パネルの変形例］
上述の実施の形態の説明では、上筐体１の長手方向に沿って一対の間隙形成用凸部９を設けることとしたが、これは、図７に示すように上筐体１の長手方向に対して垂直方向に装着面部１ａから突出する間隙形成用凸部９を、上筐体１の短手方向に沿って、所定間隔（或いはランダムの間隔）で複数設けるようにしてもよい。この場合でも、上筐体用筐体パネル２の裏面部２ｃと上筐体１の装着面部１ａとの間に上述の間隙部２５を形成することができ、上述と同様に、上筐体１と上筐体用筐体パネル２との貼り付き防止や、各スピーカ部５Ｒ，５Ｌからの音声を、間隙部２５等を介した上筐体用筐体パネル２外に放音する等の効果を得ることができる。
【００５３】
また、間隙形成用凸部９は、図３や図７において角柱状として図示したが、図８に示すように間隙形成用凸部９を略半円球形状とし、この略半円球形状とした間隙形成用凸部９を図３に示したように上筐体１の長手方向に沿って並設し、図７に示したように上筐体１の短手方向に沿って並設し、或いは上筐体１上にランダムに設けるようにしてもよい。この場合でも、上述と同様に、上筐体１と上筐体用筐体パネル２との貼り付き防止や、各スピーカ部５Ｒ，５Ｌからの音声を、間隙部２５等を介した上筐体用筐体パネル２外に放音する等の効果を得ることができる。すなわち、上筐体用筐体パネル２の裏面部２ｃと上筐体１の装着面部１ａとの間に上述の間隙部２５を形成することができる形状であれば、間隙形成用凸部９の形状は任意の形状でよい。
【００５４】
また、上述の実施の形態の説明では、間隙形成用凸部９を上筐体１側に設けることとしたが、間隙形成用凸部９を上筐体用筐体パネル２の裏面部２ｃ側に設けるようにしてもよい。具体的には、図９に示すように上筐体用筐体パネル２の裏面部２ｃ側に、該上筐体用筐体パネル２の長手方向に沿って一対の間隙形成用凸部９を設けてもよいし、図１０に示すように上筐体用筐体パネル２の長手方向に沿って複数の間隙形成用凸部９を所定間隔（或いはランダムの間隔）で設けてもよい。さらには、図１１に示すように上筐体用筐体パネル２の裏面部２ｃ側に、略半円球形状の間隙形成用凸部９を、上筐体用筐体パネル２の長手方向や短手方向に沿って、或いはランダムに設けるようにしてもよい。いずれの場合でも、この上筐体用筐体パネル２を上筐体１に装着した際に、上筐体用筐体パネル２の裏面部２ｃと上筐体１の装着面部１ａとの間に上記間隙部２５を形成することができ、上述と同じ効果を得ることができる。
【００５５】
［携帯電話機の下筐体側の構成］
次に、図１２に、この実施の形態となる携帯電話機の下筐体に装着されるパネル類を正面から見た図を、また、図１３にこの下筐体に装着されるパネル類を背面から見た図を、それぞれ示す。この図１２及び図１３からわかるように、この実施の形態の携帯電話機の場合、下筐体に対して下筐体操作部用筐体パネル４０、下筐体用背面パネル４１、及び電池蓋４２を装着するようになっている。
【００５６】
〔下筐体操作部用筐体パネルの構成〕
図１４に、下筐体操作部用筐体パネル４０を分解した状態で、各部品を正面から見た図を示す。この図１４に示すように、下筐体操作部用筐体パネル４０は、例えばＡＢＳ樹脂（Acrylonitrile、Butadiene、Styrene、共重合合成樹脂）等の強化プラスチック部材で形成された、当該下筐体操作部用筐体パネル４０の外枠となるフレーム部４３と、十字キー、数字キー、オンフックキー、オフフックキー等の各種キーを備えたキーシート４５とを有している。
【００５７】
フレーム部４３は、下筐体に対して装着可能な大きさの略長方形状を有しており、当該フレーム部４３を下筐体に装着した際に反ヒンジ部４側となる短手辺部４３ａに、一対の嵌込爪部４６を有している。また、このフレーム部４３は、キーシート４５に設けられている各キーを露出させるための開口部４７と、当該フレーム部４３を下筐体にネジ止めするためのネジ孔４８を有している。
【００５８】
このネジ孔４８は、当該フレーム部４３の表面部４３ｂに貫通しないように設けられており、該フレーム部４３の裏面部側から表面部４３ｂ側にかけて、当該フレーム部４３の厚みの略２／３程度の長さとなるように設けられている。
【００５９】
このため、このフレーム部４３を備えた下筐体操作部用筐体パネル４０を下筐体にネジ止めした際、ネジの頭の部分となる端部に対して反対側の端部は、フレーム部４３の厚さ方向の上記２／３程度に位置するようになり、ネジ孔４８は勿論のこと、ネジの頭の部分となる端部に対して反対側となる端部も、下筐体操作部用筐体パネル４０の外観上、見えないようになっている。
【００６０】
キーシート４５は、例えばウレタンゴム部材等のゴム部材を、上記フレーム部４３の外形よりも小さめの略長方形状となるようにシート状に加工すると共に、このシート状としたウレタンゴム部材上に、例えばＡＢＳ樹脂等の強化プラスチック部材で形成された上記十字キー、数字キー、オンフックキー等の各キーを接着剤で貼り付けることで形成されている。
【００６１】
また、このキーシート４５には、フレーム部４３の上記ネジ孔４８に対応する位置にネジ孔用切り欠き部４９が設けられており、当該キーシート４５をフレーム部４３に装着した際に、該フレーム部４３のネジ孔４８を閉塞しないようになっている。
【００６２】
〔下筐体用背面パネルの構成〕
下筐体用背面パネル４１は、例えばＡＢＳ樹脂等の強化プラスチック部材で形成されており、図１及び図２に示すように、略長方形状を有する下筐体の略上半分の部分に装着可能な大きさを有している。また、この下筐体操作部用筐体パネル４０は、反ヒンジ部４側の辺部４１ａに、当該下筐体用背面パネル４１を下筐体に固定するための２つの嵌込爪部５０を有している。
【００６３】
また、この下筐体用背面パネル４１は、反ヒンジ部４側の辺部４１ａから該反ヒンジ部４側に所定分突出するように設けられた突出部５１を有しており、この突出部５１にネジ孔５２が設けられている。下筐体用背面パネル４１と、この突出部５１は、上記ＡＢＳ樹脂等により一体成形されており、当該下筐体用背面パネル４１は、この突出部５１に設けられたネジ孔５２を介して、下筐体にネジ止めされるようになっている。
【００６４】
また、一例ではあるが、この実施の形態の携帯電話機の場合、下筐体の反操作面部側（背面部側）にカメラユニットが設けられている。このカメラユニットは、カメラ部やフラッシュ部等をユニット化したものであり、全体的に楕円形状となるように形成されている。そして、この全体が楕円形状のカメラユニットは、下筐体の背面部から若干突出するように設けられている。このため、下筐体用背面パネル４１には、当該下筐体用背面パネル４１を下筐体に装着した際に、該下筐体に設けられているカメラユニットを露出させるための略楕円形状の開口部５３が設けられている。
【００６５】
〔電池蓋の構成〕
電池蓋４２は、例えばＡＢＳ樹脂等の強化プラスチック部材で形成されており、図１２及び図１３に示すように、略長方形状を有する下筐体の略下半分の部分に装着可能な大きさを有している。また、この電池蓋４２のヒンジ部４側となる辺部４２ａには、下筐体５４との嵌込を図るための２つの嵌込爪部５７が設けられている。
【００６６】
一例ではあるが、この実施の形態の携帯電話機の場合、図１５に示すように下筐体５４の略下半分の部分にバッテリ５５を装着するためのバッテリ収納部５６が設けられている。電池蓋４２は、このバッテリ収納部５６に対してバッテリ５５を装着したうえで、下筐体５４に装着されることで、バッテリ収納部５６に装着されたバッテリ５５を下筐体５４側に押さえ込み、該バッテリ５５の脱落を防止するようになっている。
【００６７】
〔下筐体の構成〕
次に、図５に下筐体５４を正面から見た図を示す。この図５に示すように、下筐体５４のキー操作面部５４ａには、下筐体操作部用筐体パネル４０に設けられている各キーに対応する位置に、該各キーを介して押圧操作されるキードーム５８がそれぞれ設けられている。
【００６８】
この下筐体５４のキー操作面部５４ａに設けられている全てのキードーム５８は、例えばＰＥＴ樹脂（PET：ポリエチレンテレフタレート）等の防水性を有する樹脂部材を薄いシート状に加工することで形成された防水シート５９で被覆されている。この防水シート５９の表面部５９ａ（下筐体５４に貼り付けられた際に露出する面部）には、当該表面部５９ａに微細な凹凸を形成するシボ加工（マット加工）が施されている。
【００６９】
また、この下筐体５４には、右側面部５４ｃの略中央近傍に、キー操作面部５４ａ側から背面部５４ｂ側にかけて連通するネジ孔６０が設けられている。後述するが、このネジ孔６０を介して、図１２及び図１３に示す下筐体操作部用筐体パネル４０及び下筐体用背面パネル４１が、当該下筐体５４にネジ止めされるようになっている。
【００７０】
〔下筐体操作部用筐体パネルのフレーム部の爪部と下筐体の嵌込溝部の詳細な構成〕
次に、当該実施の形態の携帯電話機は、下筐体操作部用筐体パネル４０のフレーム部４３に設けられている複数の爪部が、下筐体５４に設けられている複数の嵌込溝と嵌込することで、該下筐体５４に対して下筐体操作部用筐体パネル４０が装着されるようになっている。
【００７１】
まず、図１７に、下筐体操作部用筐体パネル４０のフレーム部４３を裏面側から見た状態の斜視図を示す。この図１７からわかるように、フレーム部４３には、それぞれ長手方向の辺部である右辺部４３ｃ及び左辺部４３ｄの各内壁に、所定間隔で複数の爪部６１が設けられている。
【００７２】
なお、この図１７は、左辺部４３ｄに対して所定間隔で計４つの爪部６１が設けられている例である。また、この図１７においては、右辺部４３ｃに設けられている各爪部６１が見えない状態であるが、この右辺部４３ｃに対しても、上記左辺部４３ｄと同様に複数の爪部６１が設けられているものと理解されたい。
【００７３】
図１８に、左辺部４３ｄに設けられている爪部６１の拡大図を示す。この図１８からわかるように、各爪部６１は略Ｌ字形状を有しており、長辺部６１ａが左辺部４３ｄの長手方向に沿うように、また、短辺部６１ｂが、フレーム部４３の表面部４３ｂ方向に沿うように、左辺部４３ｄの内壁に設けられている。
【００７４】
次に、図１９に、下筐体５４の上ハーフとなるフレーム部分の斜視図を示す。この図１９に示すように、下筐体５４の長手方向の側面部である右側面部５４ｂ及び左側面部５４ｃには、上記下筐体操作部用筐体パネル４０のフレーム部４３に設けられている各爪部６１に対応する位置に、該各爪部６１が嵌込する嵌込溝部６２が設けられている。
【００７５】
すなわち、この例においては、下筐体操作部用筐体パネル４０のフレーム部４３の右辺部４３ｃ及び左辺部４３ｄには、上述のように、それぞれ４つの爪部６１が設けられている。このため、下筐体５４の右側面部５４ｂには、上記各爪部６１に対応する４つの嵌込溝部６２が設けられており、また、左側面部５４ｃにも上記各爪部６１に対応する４つの嵌込溝部６２が設けられている。
【００７６】
また、理由は後述するが、この下筐体５４に設けられている各嵌込溝部６２は、下筐体操作部用筐体パネル４０のフレーム部４３に設けられている各爪部６１の強度よりも高い強度を有するように形成されている。
【００７７】
図２０に、下筐体５４の左側面部５４ｃに設けられている嵌込溝部６２の拡大図を示す。この図２０からわかるように、各嵌込溝部６２は、下筐体操作部用筐体パネル４０のフレーム部４３に設けられている爪部６１の長辺部６１ａの長さよりも、若干広めの開口部である挿入用開口部６２ａと、爪部６１の長辺部６１ａの厚みよりも若干大きめの幅を有し、左側面部５４ｃの長手方向に沿って設けられるスライド溝部６２ｂとを、逆Ｌ字形状に接続した形状を有している。
【００７８】
この嵌込溝部６２の一端部６２ｃは、反キー操作面部側からキー操作面部５４ａ側にかけて徐々に迫り上がるかたちのテーパ加工が施されており、下筐体操作部用筐体パネル４０のフレーム部４３に設けられている爪部６１の、当該嵌込溝部６２に対する嵌込を補助するようになっている。
【００７９】
また、この嵌込溝部６２の他端部６２ｄは、図１８に示す爪部６１の長辺部６１ａの短辺部６１ｂが接続されている端部に対して反対側となる端部６１ｃが当接するストッパとなっている。そして、下筐体操作部用筐体パネル４０のフレーム部４３に設けられている各爪部６１の各端部６１ｃが、下筐体５４の各嵌込溝部６２に設けられている他端部６２ｄにそれぞれ当接することで、下筐体５４に装着された下筐体操作部用筐体パネル４０の位置決めがなされるようになっている。
【００８０】
また、この嵌込溝部６２において、スライド溝部６２ｂを下筐体５４の左側面部５４ｃの長手方向に沿って設けることで、他端部６２ｄ近傍となるスライド溝部６２ｂ上に、当該スライド溝部６２ｂの略１／３程度の長さで、該スライド溝部６２ｂに沿って突出する突出部６２ｅが形成される。この突出部６２ｅは、嵌込溝部６２に嵌込した上記爪部６１の長辺部６１ａを押さえ込むように機能するようになっている。
【００８１】
［下筐体操作部用筐体パネル及び下筐体用背面パネルの装着工程］
次に、この実施の形態の携帯電話機の下筐体５４に対する下筐体操作部用筐体パネル４０及び下筐体用背面パネル４１の装着工程を説明する。
【００８２】
まず、下筐体５４に対して下筐体操作部用筐体パネル４０を装着する場合、下筐体操作部用筐体パネル４０のフレーム部４３に設けられている各爪部６１の長辺部６１ａが（図１７及び図１８参照）、下筐体５４に設けられている各嵌込溝部６２の挿入用開口部６２ａ上に位置するように（図１９及び図２０参照）、下筐体５４に対して下筐体操作部用筐体パネル４０を載置し、この状態で下筐体操作部用筐体パネル４０に対して、下筐体５４の厚さ方向の力を加える。
【００８３】
下筐体操作部用筐体パネル４０に対して、この下筐体５４の厚さ方向の力が加わると、各爪部６１は、テーパ加工が施されている各嵌込溝部６２の一端部に沿って該嵌込溝部６２に挿入される。図２１は、下筐体操作部用筐体パネル４０のフレーム部４３に設けられている各爪部６１と、下筐体５４に設けられている各嵌込溝部６２とが嵌込した状態の拡大図を示しているのであるが、各爪部６１が各嵌込溝部６２に挿入された状態で、下筐体操作部用筐体パネル４０に対して、図２１中実線の矢印で示すヒンジ方向の力を加えると、嵌込溝部６２に挿入されている爪部６１の長辺部６１ａが、嵌込溝部６２のスライド溝部６２ｂに沿って移動する。この爪部６１の移動は、該爪部６１の端部６１ｃが、嵌込溝部６２の他端部６２ｄに当接することで停止する。
【００８４】
次に、爪部６１の端部６１ｃが、嵌込溝部６２の他端部６２ｄに当接すると、上述のように、スライド溝部６２ｂに沿って突出する突出部６２ｅにより、当該嵌込溝部６２に挿入された上記爪部６１の長辺部６１ａが押さえ込まれる。これにより、下筐体５４に対して下筐体操作部用筐体パネル４０が固定されることとなる。
【００８５】
次に、図２２に示すように、下筐体５４の背面部の略上半分に下筐体用背面パネル４１を装着する。上述のように、下筐体の背面部には、当該背面部から若干突出するように設けられた楕円形状のカメラユニットが設けられている。このため、下筐体用背面パネル４１を装着する際には、この若干突出したカメラユニットを、楕円形状の開口部５３から露出させるように、下筐体５４の背面部に対して下筐体用背面パネル４１を装着する。
【００８６】
図２３に、下筐体用背面パネル４１が装着された下筐体５４を、当該下筐体５４の略中央から長手方向に沿って切断し、カメラユニット６３部分を、この切断面側から見た状態の斜視図を示す。また、図２４に、このカメラユニット６３部分の切断面を、さらに拡大した斜視図を示す。
【００８７】
この図２３及び図２４からわかるように、下筐体用背面パネル４１の開口部５３の大きさは、カメラユニット６３の大きさよりも若干大きめとなっている。このため、下筐体５４に下筐体用背面パネル４１を装着した場合、下筐体用背面パネル４１の開口部５３からカメラユニットの楕円形状の透明板６４が露出するようになっている。
【００８８】
下筐体用背面パネル４１の開口部５３の内周部５３ａには、該下筐体用背面パネル４１の表面部４１ｂ側の開口面積が、裏面部４１ｃ側の開口面積よりも若干小さくなるようテーパ加工が施されている。これに対して、カメラユニット６３の透明板６４の外周部６４ａには、当該外周部６４ａを、上記テーパ加工が施された開口部５３の内周部５３ａと略平行とするテーパ加工が施されている。さらに、下筐体５４の背面部には、この楕円形状のカメラユニット６３の外周を取り囲むようにして、楕円形状の壁部６５が設けられており、この壁部６５に対しても、上記テーパ加工が施された開口部５３の内周部５３ａと略平行とするテーパ加工が施されている。
【００８９】
このため、下筐体５４に対して下筐体用背面パネル４１を装着すると、下筐体用背面パネル４１の開口部５３の内周部５３ａと、カメラユニット６３の透明板６４の外周部６４ａとの間に、下筐体５４の背面部に設けられた壁部６５を挟むかたちで、下筐体５４に対して下筐体用背面パネル４１が装着されることとなる。
【００９０】
換言すれば、カメラユニット６３の透明板６４の外周部６４ａと、下筐体用背面パネル４１の開口部５３の内周部５３ａとの間に、壁部６５の略幅分の間隔を空けた状態で、下筐体５４に対して下筐体用背面パネル４１を装着することができる。このため、カメラユニット６３の透明板６４の外周部６４ａに施された上記テーパ加工も手伝って、下筐体５４に対して下筐体用背面パネル４１を楽に装着可能とすることができる。
【００９１】
また、このようにカメラユニット６３の透明板６４の外周部６４ａと、下筐体用背面パネル４１の開口部５３の内周部５３ａとの間に、壁部６５の略幅分の間隔を設けると、この壁部６５と下筐体用背面パネル４１の開口部５３の内周部５３ａとの隙間からゴミ等が進入することが懸念される。
【００９２】
しかし、当該実施の形態の携帯電話機の場合、上述のように、下筐体５４の背面部に設けられた壁部６５、及び下筐体用背面パネル４１の開口部５３の内周部５３ａには、上記テーパ加工がそれぞれ施されている。このため、下筐体５４の背面部に設けられた壁部６５と、下筐体用背面パネル４１の開口部５３の内周部５３ａとは、上記テーパ加工が施された面同士で相対向することで、間に殆ど隙間が無い状態となると共に、壁部６５と開口部５３の内周部５３ａとの間の隙間は、空間に対して斜めに接続されることとなる。従って、壁部６５と下筐体用背面パネル４１の開口部５３の内周部５３ａとの隙間からゴミ等が進入する不都合を強力に防止することが可能となっている。
【００９３】
次に、このようにして下筐体５４に対して下筐体操作部用筐体パネル４０及び下筐体用背面パネル４１を装着すると、図２２に示すように下筐体用背面パネル４１の突出部５１に設けられているネジ孔５２、下筐体５４に設けられているネジ孔６０を順に介するようにネジ６６を挿入し、このネジ６６を、下筐体操作部用筐体パネル４０に設けられているネジ孔４８に螺入する。これにより、ネジ６６により、下筐体操作部用筐体パネル４０及び下筐体用背面パネル４１が、下筐体５４に対してネジ止めされることとなる。
【００９４】
最後に、図１２及び図１３に示した電池蓋４２の嵌込爪部５７を、下筐体５４側に設けられた図示しない嵌込部に嵌込させることで、該電池蓋４２を下筐体５４に装着し、この装着工程を終了する。
【００９５】
［爪部及び嵌込溝部の強度差］
ここで、当該実施の形態の携帯電話機の場合、上述のように爪部６１の強度よりも、嵌込溝部６２の強度が高くなるように、該爪部６１及び嵌込溝部６２が形成されている。爪部６１と嵌込溝部６２を同等の強度で形成した場合、例えば当該携帯電話機を地面等に落下させたり、下筐体操作部用筐体パネル４０に無理な力が加わった場合に、下筐体操作部用筐体パネル４０の爪部６１よりも、下筐体５４の嵌込溝部６２が破損するおそれがある。そして、嵌込溝部６２が破損すると、下筐体５４側の修理を行うこととなるため、その修理に多額の費用と手間がかかってしまう。
【００９６】
しかし、当該実施の形態の携帯電話機の場合、爪部６１の強度よりも、嵌込溝部６２の強度が高くなるよう形成されているため、当該携帯電話機を地面等に落下させたり、下筐体操作部用筐体パネル４０に無理な力が加わった場合には、嵌込溝部６２よりも先に下筐体操作部用筐体パネル４０の爪部６１が破損する。しかも、当該実施の形態の携帯電話機の場合、上述のように、下筐体操作部用筐体パネル４０を、簡単に装着可能となっている。このため、破損を下筐体操作部用筐体パネル４０側に止めることで下筐体５４の破損を防止することができ、下筐体５４が破損することで、多額の修理費用や手間がかかる不都合を防止可能となっている。
【００９７】
［下筐体操作部用筐体パネル及び下筐体用背面パネルの取り外し工程］
次に、このように装着された下筐体操作部用筐体パネル４０等を取り外す場合は、上述と反対の工程となる。すなわち、まず、電池蓋４２を下筐体５４から取り外し、これにより、図１５に示すように露出するネジ６６を緩めて該ネジ６６を取り外す。
【００９８】
次に、下筐体用背面パネル４１を取り外すと共に、下筐体操作部用筐体パネル４０に対して、図２１中、点線の矢印で示す反ヒンジ部４方向にスライドさせる力を加える。この反ヒンジ部４方向にスライドさせる力が加わると、下筐体操作部用筐体パネル４０の各爪部６１は、上記テーパ加工が施されている各嵌込溝部６２の一端部６２ｃに乗り上げるかたちで移動し、各爪部６１と各嵌込溝部６２の嵌込が解除される。これにより、下筐体５４から下筐体操作部用筐体パネル４０を取り外すことができる。
【００９９】
［防水シートに施されたシボ加工の機能］
次に、図２５（ａ）に、下筐体操作部用筐体パネル４０が装着された下筐体５４を、キードーム５８の略中央から切断した状態の断面図を示す。この図２５（ａ）に示すように、ウレタンゴム部材で形成されたキーシート４５上には、ＡＢＳ樹脂等で形成された上記各キーのキートップ６７が接着されている。このキーシート４５は、ＰＥＴ樹脂等の防水性を有する樹脂部材で形成された防水シート５９の表面部５９ａ上に載置されるようになっている。
【０１００】
また、防水シート５９の、キードーム５８と相対向する箇所には、防水シート５９と共に一体成形された押圧用突出部７０が設けられている。キードーム５８は、フレキシブル基板７１上に形成された各キーのスイッチ７２、及びこのスイッチ７２との間に所定の空隙を保持した状態で該スイッチ７２を覆うように設けられたドーム状の金属バネ７３を、粘着シート７４で被覆することで形成されている。
【０１０１】
このようなキードーム５８は、ユーザがキートップ６７を押圧操作すると、この押圧操作による力を、防水シート５９に形成された押圧用突出部７０を介して金属バネ７３に伝達する。金属バネ７３は、上記押圧操作による力が加わると、凹んだ状態に変形し、キードーム５８内のスイッチ７２と接触する。これにより、所定の電気信号が発生する。当該携帯電話機の図示しない制御部は、この金属バネ７３とスイッチ７２とが接触することで発生する所定の電気信号を検出することで、ユーザによるキー操作を検出し、当該操作されたキーに対応する情報処理を実行する。なお、ユーザの押圧操作により変形した金属バネ７３は、ユーザの押圧操作による力が加わらなくなると、元のドーム形状に復帰する。
【０１０２】
ここで、図２５（ａ）からわかるように、キートップ６７が設けられているキーシート４５と防水シート５９の表面部５９ａとは、該表面部５９ａに施したシボ加工による凹凸を介して、言わば多数の点で接触するようになっている。
【０１０３】
防水シート５９の表面部５９ａ上に「シボ加工」を施していない場合、この防水シート５９の表面部５９ａとキーシート４５とは略平面で接触することとなり、該両者の接触面積が大きくなるため、摩擦力が大きくなる。また、経年変化等により、防水シート５９の表面部５９ａとキーシート４５とが張り付いた状態となるおそれもある。そして、防水シート５９の表面部５９ａとキーシート４５とが張り付いた状態となると、下筐体５４からキーシート４５を取り外し難くなり、下筐体５４に対する下筐体操作部用筐体パネル４０の着脱に支障を来すおそれがある。
【０１０４】
なお、キーシート４５と防水シート５９の表面部５９ａとの間に、常時、所定の間隙を形成しておくことで、上記経年変化により、キーシート４５と防水シート５９の表面部５９ａとが貼り付いた状態となる不都合を防止可能であるが、この場合、両者間の上記間隙により、キー操作時におけるクリック感が悪くなる問題がある。
【０１０５】
しかし、この実施の形態の携帯電話機の場合、上述のように防水シート５９の表面部５９ａ上に施された「シボ加工」により、防水シート５９の表面部５９ａとキーシート４５とは、言わば多数の点で接触するようになるため、防水シート５９の表面部５９ａとキーシート４５との摩擦力を小さくすることができ、下筐体５４からキーシート４５を取り外し易くすることができる。このため、下筐体操作部用筐体パネル４０の交換をスムーズに行うことを可能とすることができる。
【０１０６】
また、防水シート５９の表面部５９ａとキーシート４５とが接触している面積が少ないため、部材の変質等の経年変化が生じた場合でも、下筐体５４からキーシート４５を取り外し易くすることができ、該下筐体操作部用筐体パネル４０の交換をスムーズに行うことを可能とすることができる。
【０１０７】
また、このように防水シート５９の表面部５９ａとキーシート４５との貼り付きを防止することができるため、この貼り付きを防止するために、防水シート５９の表面部５９ａとキーシート４５との間に間隙を設ける必要がなく、この間隙を設けたが故に、キー操作時のクリック感が悪くなる不都合を防止することができる。
【０１０８】
〔押圧用突出部の変形例〕
上述の例において、押圧用突出部７０は、防水シート５９と共に一体成形されていることとしたが、この押圧用突出部７０は、図２５（ｂ）に示すように防水シート５９とは別に形成し、該防水シート５９上の各キーに対応する箇所に接着してもよい。或いは、図２５（ｃ）に示すように押圧用突出部７０を金属バネ７３上に設けた状態で、この押圧用突出部７０及び金属バネ７３を粘着シート７４で被覆してもよい。なお、押圧用突出部７０を金属バネ７３と共に一体整形してもよい。いずれの場合も、上述と同じ効果を得ることができる。
【０１０９】
［実施の形態の効果］
以上の説明から明らかなように、この実施の形態の携帯電話機は、上筐体用筐体パネル２の空隙部２０に対して、上筐体１の端部１ｂを挿入したうえで、上筐体１の反ヒンジ部４側の端部１ｂに固定カバー３をネジ止めするだけで、上筐体１に対して上筐体用筐体パネル２を簡単に装着することができる。このため、デザインや模様、色彩等の異なる上筐体用筐体パネル２に交換することも簡単に行うことができ、上筐体１の外観を簡単に一新させることができる。
【０１１０】
また、上筐体用筐体パネル２の両側面部２ａには巻き加工（ラウンド加工）が施されており、この上筐体用筐体パネル２を上筐体１に装着することで、上筐体１の装着面部１ａのみならず、上筐体１の両側面部、及び上筐体１の表示面部１ｃの両端部近傍まで被覆することができる。このため、上筐体１に上筐体用筐体パネル２を装着することで、薄型化された上筐体１の強度を上筐体用筐体パネル２により十分に担保可能とすることができる。
【０１１１】
また、上筐体１に上筐体用筐体パネル２を装着することで、上筐体１のメイン表示部８以外の部分を該上筐体用筐体パネル２で被覆することができる。これは、上筐体１全体の面積うち、上筐体用筐体パネル２で占められる面積が大半であることを意味する。このため、上筐体用筐体パネル２を交換することで、上筐体１のデザイン、色彩、模様等を一新させることを可能とすることができる。
【０１１２】
また、上筐体１に設けられた各間隙形成用凸部９により、該上筐体１に上筐体用筐体パネル２が装着された際に、上筐体１の装着面部１ａと上筐体用筐体パネル２の裏面部２ｃとの間に間隙部２５を形成するようになっている。このため、時間の経過と共に上筐体１と上筐体用筐体パネル２とが貼り付いた状態となる不都合を防止することができ、時間が経過した場合でも、上筐体１から上筐体用筐体パネル２を簡単に取り外し可能とすることができる（迅速に上筐体用筐体パネル２の交換を可能とすることができる。）。
【０１１３】
また、各間隙形成用凸部９により、上筐体１の装着面部１ａと上筐体用筐体パネル２の裏面部２ｃとの間に形成される間隙部２５は、上筐体用筐体パネル２の開口部１５の内周部と補助表示部６の外周部との間に形成される間隙部３０と連通しており、この間隙部２５及び間隙部３０を介して、各スピーカ部５Ｒ，５Ｌからの音声出力を、上筐体用筐体パネル２外に放音するようになっている。
【０１１４】
これにより、上筐体１に上筐体用筐体パネル２を装着することで、上筐体１に設けられているスピーカ部５Ｒ，５Ｌ上を上筐体用筐体パネル２で被覆する場合でも、各スピーカ部５Ｒ，５Ｌから出力される音声を該上筐体用筐体パネル２で遮音することなく、上記各間隙部２５，３０を介して上筐体用筐体パネル２外に放音することができ、良好な音響出力を得ることができる。
【０１１５】
また、各スピーカ部５Ｒ，５Ｌから出力される音声を上記各間隙部２５，３０を介して上筐体用筐体パネル２外に放音することができるため、上筐体用筐体パネル２に対して放音用の孔部を設ける等の加工処理を不要とすることができ、上筐体用筐体パネル２の製作工程の簡素化を図ることができる。さらに、上筐体用筐体パネル２に対する放音用の孔部を設ける等の加工処理を不要とすることができるため、上筐体用筐体パネル２の表面部２ｄを、上記補助表示部６用の開口部１５が設けられていることを除き、全体的に平面状とすることができる。このため、上筐体用筐体パネル２に対して模様や色彩等のデザインを付す加工を施し易くすることができる。
【０１１６】
また、この実施の形態の携帯電話機は、下筐体５４のキー操作面部５４ａに対して、各キーに対応するキートップを備えた下筐体操作部用筐体パネル４０を装着すると共に、下筐体５４の背面部に対しては、該背面部に設けられたカメラユニット６３を露出させるための開口部５３を備えた下筐体用背面パネル４１を装着する。そして、この下筐体用背面パネル４１に設けられたネジ孔５２、下筐体５４に設けられたネジ孔６０、及び下筐体操作部用筐体パネル４０に設けられたネジ孔４８を順に介して、ネジ６６により、下筐体操作部用筐体パネル４０及び下筐体用背面パネル４１を下筐体５４にネジ止めすると共に、最後に下筐体５４の背面部に対して電池蓋４２を装着する。
【０１１７】
また、下筐体５４に装着された下筐体操作部用筐体パネル４０及び下筐体用背面パネル４１を取り外す場合、まず、下筐体５４から電池蓋４２を取り外し、次にネジ６６を緩めて取り外す。これにより、ネジ止めされたいた下筐体操作部用筐体パネル４０及び下筐体用背面パネル４１を下筐体５４から簡単に取り外し可能となる。
【０１１８】
このような実施の形態の携帯電話機は、１本のネジ６６により、下筐体５４に対して下筐体操作部用筐体パネル４０及び下筐体用背面パネル４１を簡単に装着及び取り外しすることができるため、操作部を備えた下筐体５４全体の表面部品（下筐体操作部用筐体パネル４０、下筐体用背面パネル４１及び電池蓋４２）を簡単に交換可能とすることができる。このため、デザインや模様、色彩等の異なる下筐体操作部用筐体パネル４０や下筐体用背面パネル４１等に交換することも簡単に行うことができ、下筐体５４の外観を簡単に一新させることができる。
【０１１９】
また、下筐体５４に対して下筐体操作部用筐体パネル４０を装着する場合、下筐体操作部用筐体パネル４０のフレーム部４３に設けられている各爪部６１の長辺部６１ａが（図１７及び図１８参照）、下筐体５４に設けられている各嵌込溝部６２の挿入用開口部６２ａ上に位置するように（図１９及び図２０参照）、下筐体５４に対して下筐体操作部用筐体パネル４０を載置し、この状態で下筐体操作部用筐体パネル４０に対して、下筐体５４の厚さ方向の力を加える。そして、各爪部６１が各嵌込溝部６２に挿入された状態で、下筐体操作部用筐体パネル４０に対してヒンジ方向の力を加えて、各嵌込溝部６２に挿入されている各爪部６１を完全に嵌込させることで、下筐体５４に対して下筐体操作部用筐体パネル４０を固定する。
【０１２０】
この爪部６１及び嵌込溝部６２は、下筐体操作部用筐体パネル４０及び下筐体５４に対して複数設けられている。このため、下筐体操作部用筐体パネル４０及び下筐体５４が多点接続されることとなり、ネジ止めをしなくとも、下筐体操作部用筐体パネル４０及び下筐体５４を強固に接続可能とすることができる。
【０１２１】
また、下筐体操作部用筐体パネル４０に設けられている爪部６１の強度よりも、下筐体５４に設けられている嵌込溝部６２の強度が高くなるよう形成されているため、当該携帯電話機を地面等に落下させたり、下筐体操作部用筐体パネル４０に無理な力が加わった場合には、嵌込溝部６２よりも先に下筐体操作部用筐体パネル４０の爪部６１が破損するようになる。このため、破損を下筐体操作部用筐体パネル４０側に止めることで下筐体５４の破損を防止することができ、下筐体５４が破損することで、多額の修理費用や手間がかかる不都合を防止することができる。
【０１２２】
また、下筐体５４に下筐体用背面パネル４１を装着する場合、下筐体５４の背面部に設けられたカメラユニット６３の透明板６４の外周部６４ａと、下筐体用背面パネル４１の開口部５３の内周部５３ａとの間に、壁部６５の略幅分の間隔を空けた状態で、下筐体５４に対して下筐体用背面パネル４１を装着するようになっている。このため、カメラユニット６３の透明板６４の外周部６４ａに施された上記テーパ加工も手伝って、下筐体５４に対して下筐体用背面パネル４１を楽に装着可能とすることができる。
【０１２３】
また、下筐体５４の背面部に設けられた壁部６５、及び下筐体用背面パネル４１の開口部５３の内周部５３ａには、テーパ加工がそれぞれ施されており、下筐体５４の背面部に設けられた壁部６５と、下筐体用背面パネル４１の開口部５３の内周部５３ａとは、このテーパ加工が施された面同士で相対向することで、間に殆ど隙間が無い状態となる。また、壁部６５と開口部５３の内周部５３ａとの間の隙間は、空間に対して斜めに接続されることとなる。従って、上述のように、下筐体用背面パネル４１を楽に装着可能としたうえで、壁部６５と下筐体用背面パネル４１の開口部５３の内周部５３ａとの隙間からゴミ等が進入する不都合を強力に防止することができる。
【０１２４】
また、下筐体５４の各キーが設けられたキー操作面部５４ａを防水シート５９で被覆しているため、下筐体操作部用筐体パネル４０等の着脱時に、各キーの電気部品部分にゴミや水が入る不都合を防止することができる。
【０１２５】
また、防水シート５９の表面部５９ａには、微細な凹凸を形成するシボ加工（マット加工）が施されているため、下筐体操作部用筐体パネル４０のキーシート４５と防水シート５９の表面部５９ａとの接触部分を、言わば多数の点で接触させて、該接触面積を小さくすることができる。
【０１２６】
このため、下筐体操作部用筐体パネル４０のキーシート４５と防水シート５９の表面部５９ａとの間の摩擦力を小さくすることができ、下筐体操作部用筐体パネル４０の装着及び取り外しを容易化することができる。このため、下筐体操作部用筐体パネル４０の交換をスムーズに行うことを可能とすることができる。
【０１２７】
また、下筐体操作部用筐体パネル４０のキーシート４５と防水シート５９の表面部５９ａとの接触面積が小さくすることができるため、部材の変質等の経年変化等が生じた場合でも、下筐体操作部用筐体パネル４０をスムーズに取り外し可能とすることができる。このため、下筐体操作部用筐体パネル４０をスムーズに交換可能とすることができる。
【０１２８】
また、防水シート５９の表面部５９ａとキーシート４５とを常時接触させた状態とすることで、部材の変質等の経年変化等により、該表面部５９ａとキーシート４５とが貼り付いた状態となった場合でも、上述のように下筐体操作部用筐体パネル４０の取り外しを簡単に行うことができるため、この両者が貼り付いた状態となることを防止するために、該両者を常時離間させておく必要がなく、該両者を常時離間させておくことで、クリック感を悪くする不都合を防止することができる。
【０１２９】
そして、当該実施の形態の携帯電話機は、上筐体１に対して、上筐体用筐体パネル２及び固定カバー３を装着することで、該上筐体１の外観を簡単に一新させることができ、また、下筐体５４に対して、下筐体操作部用筐体パネル４０、下筐体用背面パネル４１及び電池蓋４２を装着することで、該下筐体５４の外観を簡単に一新させることができる。このため、当該携帯電話機全体の外観を一新させることを可能とすることができる。
【０１３０】
［変形例］
上述の実施の形態の説明では、下筐体操作部用筐体パネル４０及び下筐体用背面パネル４１を、１本のネジ２６により下筐体５４に固定することとしたが、これは、複数本のネジを用いて固定するようにしてもよい。
【０１３１】
また、下筐体操作部用筐体パネル４０及び下筐体用背面パネル４１を下筐体５４にネジ止めすることとしたが、下筐体操作部用筐体パネル４０及び下筐体用背面パネル４１に嵌込用爪部を設けると共に、下筐体５４に嵌込溝部を設け、この下筐体５４に設けられた嵌込溝部に対して、下筐体操作部用筐体パネル４０及び下筐体用背面パネル４１に設けられた嵌込用爪部を嵌込させて、両者を下筐体５４に固定してもよい。この場合、ネジ止めの必要がなくなるため、より簡単に筐体パネルの着脱や交換を可能とすることができる。
【０１３２】
また、上述の実施の形態の説明では、本発明を折り畳み型の携帯電話機に適用することとしたが、この他、本発明をストレート型（＝スティック型）の携帯電話機に適用してもよい。この場合でも、外観を簡単に変更可能である等の、上述と同様の効果を得ることができる。
【０１３３】
また、上述の実施の形態の説明では、本発明を携帯電話機に適用することとしたが、この他、例えばＰＨＳ電話機（PHS：Personal Handyphone System）、ＰＤＡ装置（PDA：Personal Digital Assistant）、携帯ゲーム機、デジタルカメラ装置、ノート型のパーソナルコンピュータ装置等の携帯機器に本発明を適用してもよい。いずれの場合も、上述と同様の効果を得ることができる。
【０１３４】
最後に、本発明は、一例として説明した上述の実施の形態に限定されることはなく、本発明に係る技術的思想を逸脱しない範囲であれば、設計等に応じて種々の変更が可能であることは勿論であることを付け加えておく。
【図面の簡単な説明】
【０１３５】
【図１】本発明を適用した実施の形態となる携帯電話機の上筐体、上筐体用筐体パネル及び固定カバーの斜視図である。
【図２】実施の形態の携帯電話機において、上筐体用筐体パネルが装着された状態の上筐体を、メイン表示部側から見た斜視図である。
【図３】実施の形態の携帯電話機における、上筐体用筐体パネルが装着されていない状態の上筐体の斜視図である。
【図４】実施の形態の携帯電話機の上筐体に装着される上筐体用筐体パネルの斜視図である。
【図５】実施の形態の携帯電話機において、上筐体用筐体パネルが装着された状態の上筐体を、該上筐体の短手方向に沿って切断した切断面の断面図である。
【図６】実施の形態の携帯電話機において、上筐体用筐体パネルが装着された状態の上筐体を、該上筐体の長手方向に沿って切断し、補助表示部の部分を拡大して示す断面図である。
【図７】実施の形態の携帯電話機において、上筐体に設けられる間隙形成用凸部の他の設置例を示す図である。
【図８】実施の形態の携帯電話機において、上筐体に設けられる間隙形成用凸部の他の形状を説明するための図である。
【図９】実施の形態の携帯電話機において、上筐体用筐体パネル側に間隙形成用凸部を設けた例を示す図である。
【図１０】実施の形態の携帯電話機において、上筐体用筐体パネル側に間隙形成用凸部を設けた他の例を示す図である。
【図１１】実施の形態の携帯電話機において、上筐体用筐体パネル側に設けられる間隙形成用凸部の他の形状を説明するための図である。
【図１２】本発明を適用した実施の形態となる携帯電話機の下筐体に装着される下筐体操作部用筐体パネル、下筐体用背面パネル及び電池蓋の正面図である。
【図１３】実施の形態の携帯電話機の下筐体に装着される下筐体操作部用筐体パネル、下筐体用背面パネル及び電池蓋の背面図である。
【図１４】下筐体操作部用筐体パネルを構成するフレーム部及びキーシートの正面図である。
【図１５】下操作部用背面パネルを装着した状態の下筐体の背面図である。
【図１６】下筐体操作部用筐体パネルを取り外した状態の下筐体の正面図である。
【図１７】下筐体操作部用筐体パネルのフレーム部を背面側から見た状態の斜視図である。
【図１８】下筐体操作部用筐体パネルのフレーム部に設けられている爪部の拡大図である。
【図１９】下筐体を構成する上ハーフの斜視図である。
【図２０】下筐体の両側面部に設けられている嵌込溝部の拡大図である。
【図２１】下筐体操作部用筐体パネルのフレーム部に設けられている爪部が、下筐体に設けられている嵌込溝部に嵌込した状態を示す拡大図である。
【図２２】実施の形態の携帯電話機における下筐体に対する下筐体操作部用筐体パネル及び下操作部用背面パネルの装着工程を説明するための分解斜視図である。
【図２３】下操作部用背面パネルが装着された下筐体を長手方向に沿って切断した状態の斜視図である。
【図２４】下操作部用背面パネルが装着された下筐体を長手方向に沿って切断した状態の要部を拡大して示した斜視図である。
【図２５】下筐体のキー操作面部に設けられた防水シートに施されているシボ加工の機能を説明するための図である。
【符号の説明】
【０１３６】
１  上筐体、１ａ  上筐体の装着面部、１ｂ  上筐体の反ヒンジ部側の端部、１ｃ  上筐体の表示面部、１ｄ  上筐体のヒンジ部側の端部、２  上筐体用筐体パネル、２ａ  上筐体用筐体パネルの側面部、２ｂ  上筐体用筐体パネルの開口部側の端部、２ｃ  上筐体用筐体パネルの裏面部、２ｄ  上筐体用筐体パネルの表面部、３  固定カバー、４  ヒンジ部、５Ｒ  スピーカ部（右用）、５Ｌ  スピーカ部（左用）、６  補助表示部、６ａ  補助表示部の外周部、７  受話音声用のスピーカ部、８  メイン表示部、９  間隙形成用凸部、１０  上筐体の上ハーフ、１１  上筐体の下ハーフ、１５  上筐体用筐体パネルの開口部、１５ａ  上筐体用筐体パネルの開口部の内周部、１７  固定カバーのネジ孔、１８  ネジ、２０  上筐体用筐体パネルの空隙部、２５  上筐体の装着面部と上筐体用筐体パネルの裏面部との間に形成される間隙部、３０  上筐体の補助表示部の外周部と上筐体用筐体パネルの開口部の内周部との間に形成される間隙部、３１  スピーカ部の放音用孔部、４０  下筐体操作部用筐体パネル、４１  下操作部用背面パネル、４１ａ  下操作部用背面パネルの反ヒンジ部側の辺部、４１ｂ  下操作部用背面パネルの表面部、４１ｃ  下操作部用背面パネルの背面部、４２  電池蓋、４２ａ  電池蓋のヒンジ部側の辺部、４３  筐体パネルのフレーム部、４３ａ  フレーム部の短手辺部、４３ｂ  フレーム部の表面部、４３ｃ  フレーム部の右辺部、４３ｄ  フレーム部の左辺部、４５  キーシート、４６  嵌込爪部、４７  開口部、４８  ネジ孔、４９  ネジ孔用切り欠き部、５０  下操作部用背面パネルの嵌込爪部、５１  下操作部用背面パネルの突出部、５２  突出部に設けられたネジ孔、５３  カメラユニット用の開口部、５３ａ  開口部の内周部、５４  下筐体、５４ａ  下筐体のキー操作面部、５４ｂ  下筐体の右側面部、５４ｃ  下筐体の左側面部、５５  バッテリ、５６  バッテリ収納部、５７  電池蓋の嵌込爪部、５８  キードーム、５９  防水シート、５９ａ  防水シートの表面部、６０  下筐体のネジ孔、６１  フレーム部の爪部、６１ａ  爪部の長辺部、６１ｂ  爪部の短辺部、６１ｃ  爪部の端部、６２  下筐体の嵌込溝部、６２ａ  挿入用開口部、６２ｂ  スライド溝部、６２ｃ  嵌込溝部の一端部、６２ｄ  嵌込溝部の他端部、６２ｅ  突出部、６３  カメラユニット、６４  カメラユニットの透明板、６５  壁部、６６  ネジ、６７  キートップ、７０  押圧用突出部、７１  フレキシブル基板、７２  スイッチ、７３  金属バネ、７４  粘着シート
【図１】
2009290806.tif 000003
【図２】
2009290806.tif 000004
【図３】
2009290806.tif 000005
【図４】
2009290806.tif 000006
【図５】
2009290806.tif 000007
【図６】
2009290806.tif 000008
【図７】
2009290806.tif 000009
【図８】
2009290806.tif 000010
【図９】
2009290806.tif 000011
【図１０】
2009290806.tif 000012
【図１１】
2009290806.tif 000013
【図１２】
2009290806.tif 000014
【図１３】
2009290806.tif 000015
【図１４】
2009290806.tif 000016
【図１５】
2009290806.tif 000017
【図１６】
2009290806.tif 000018
【図１７】
2009290806.tif 000019
【図１８】
2009290806.tif 000020
【図１９】
2009290806.tif 000021
【図２０】
2009290806.tif 000022
【図２１】
2009290806.tif 000023
【図２２】
2009290806.tif 000024
【図２３】
2009290806.tif 000025
【図２４】
2009290806.tif 000026
【図２５】
2009290806.tif 000027